(57)【特許請求の範囲】
【請求項１】
ＩＰＴＶ放送を配信する放送配信サーバと、前記放送配信サーバにより配信されるＩＰＴＶ放送を受信する放送受信装置と、前記放送受信装置が受信したＩＰＴＶ放送を映像音声出力する表示装置と、前記放送受信装置から視聴情報を収集する視聴情報収集サーバとを備えた視聴情報収集システムにおいて、
前記放送受信装置は、
前記表示装置から出力される映像および音声を視聴する視聴者に関する情報である視聴者情報を取得する視聴者情報取得部と、
前記放送配信サーバにより配信されるＩＰＴＶ放送のチャンネル情報を検出するチャンネル情報検出部と、
当該放送受信装置と前記表示装置との接続を検出し、接続情報を生成する接続検出部と、
前記視聴者情報取得部が取得した視聴者情報および前記接続検出部が生成した接続情報を参照し、前記表示装置から出力される映像および音声を視聴する視聴者が存在し、且つ当該放送受信装置が前記表示装置と接続している場合に、前記チャンネル情報検出部が検出したチャンネル情報に基づいて視聴情報を生成する視聴情報生成部と、
前記視聴情報生成部が生成した視聴情報を前記視聴情報収集サーバに送信する視聴情報送信部とを備えたことを特徴とする視聴情報収集システム。
【請求項２】
前記放送受信装置は、前記受信したＩＰＴＶ放送を記憶媒体に録画すると共に、前記記憶媒体に録画したＩＰＴＶ放送を再生する放送録画再生部を備え、
前記視聴情報生成部は、前記表示装置から出力される映像および音声を視聴する視聴者が存在しない、または当該放送受信装置が前記表示装置と接続していない場合であって、前記放送録画再生部がＩＰＴＶ放送を録画あるいは前記録画したＩＰＴＶ放送を再生した場合に視聴情報を生成することを特徴とする請求項１記載の視聴情報収集システム。
【請求項３】
前記録画再生部は、前記ＩＰＴＶ放送の録画の際の録画操作履歴、および前記ＩＰＴＶ放送の再生の際の再生操作履歴を蓄積した操作履歴情報を生成し、
前記視聴情報生成部は、前記表示装置から出力される映像および音声を視聴する視聴者が存在しない、または当該放送受信装置が前記表示装置と接続していない場合であって、前記録画再生部が生成した操作履歴情報に前記録画操作履歴あるいは前記再生操作履歴が蓄積されている場合に視聴情報を生成することを特徴とする請求項２記載の情報収集システム。
【請求項４】
前記表示装置から出力される映像および音声を視聴する視聴者を撮影するカメラを有し、前記カメラの撮影データから視聴者を認識し、視聴者情報を生成する視聴者認識装置を備え、
前記視聴者情報取得部は、前記視聴者認識装置が生成した視聴者情報を取得することを特徴とする請求項１記載の視聴情報収集システム。
【請求項５】
前記視聴者認識装置は、前記放送受信装置または前記表示装置が備えることを特徴とする請求項４記載の視聴情報収集システム。
【請求項６】
前記放送受信装置と前記表示装置とがＨＤＭＩ（Ｈｉｇｈ Ｄｅｆｉｎｉｔｉｏｎ Ｍｕｌｔｉｍｅｄｉａ Ｉｎｔｅｒｆａｃｅ）接続され、
前記放送受信装置の前記接続検出部は、前記表示装置から出力されたホットプラグ信号を検出することにより、前記表示装置との接続を検出し、前記接続情報を生成することを特徴とする請求項１記載の視聴情報収集システム。
【請求項７】
前記放送受信装置と前記表示装置とがＨＤＭＩ（Ｈｉｇｈ Ｄｅｆｉｎｉｔｉｏｎ Ｍｕｌｔｉｍｅｄｉａ Ｉｎｔｅｒｆａｃｅ）接続され、
前記放送受信装置の前記接続検出部は、前記表示装置から出力されるＥＤＩＤ（Ｅｘｔｅｎｄｅｄ Ｄｉｓｐｌａｙ Ｉｄｅｎｔｉｆｉｃａｔｉｏｎ Ｄａｔａ）を受信し、受信したＥＤＩＤを参照して前記表示装置が所定の映像音声出力機能を有していると判断した場合に、当該放送受信装置と前記表示装置との接続を検出し、前記接続情報を生成することを特徴とする請求項１記載の視聴情報収集システム。
【請求項８】
配信されるＩＰＴＶ放送を受信し、受信したＩＰＴＶ放送を映像音声出力する放送受信装置において、
前記映像音声出力を視聴する視聴者に関する情報である視聴者情報を取得する視聴者情報取得部と、
前記配信されるＩＰＴＶ放送のチャンネル情報を検出するチャンネル情報検出部と、
前記映像音声出力の出力先との接続を検出し、接続情報を生成する接続検出部と、
前記視聴者情報取得部が取得した視聴者情報および前記接続検出部が生成した接続情報を参照し、前記映像音声出力を視聴する視聴者が存在し、且つ前記映像音声出力の出力先との接続が確立している場合に、前記チャンネル情報検出部が検出したチャンネル情報に基づいて視聴情報を生成する視聴情報生成部と、
前記視聴情報生成部が生成した視聴情報を出力する視聴情報送信部とを備えたことを特徴とする放送受信装置。
【請求項９】
前記放送受信装置は、前記受信したＩＰＴＶ放送を記憶媒体に録画すると共に、前記記憶媒体に録画したＩＰＴＶ放送を再生する放送録画再生部を備え、
前記視聴情報生成部は、前記映像音声出力を視聴する視聴者が存在しない、または前記映像音声出力の出力先との接続が確立している場合であって、前記放送録画再生部がＩＰＴＶ放送を録画あるいは前記録画したＩＰＴＶ放送を再生した場合に視聴情報を生成することを特徴とする請求項８記載の放送受信装置。
【請求項１０】
前記映像音声出力を視聴する視聴者を撮影するカメラを有し、前記カメラの撮影データから視聴者を認識し、前記認識情報を生成する視聴者認識部とを備え、
前記視聴者情報取得部は、前記視聴者認識部が生成した視聴者情報を取得することを特徴とする請求項８記載の放送受信装置。
【請求項１１】
放送配信サーバにより配信されるＩＰＴＶ放送を放送受信装置が受信し、受信したＩＰＴＶ放送を表示装置が映像音声出力し、視聴情報収集サーバが前記放送受信装置から視聴情報を収集する視聴情報収集方法において、
前記放送受信装置の視聴者情報取得部が、前記表示装置から出力される映像および音声を視聴する視聴者に関する情報である視聴者情報を取得するステップと、
チャンネル情報検出部が、前記配信されるＩＰＴＶ放送のチャンネル情報を検出するステップと、
接続検出部が、当該放送受信装置と前記表示装置との接続を検出し、接続情報を生成するステップと、
視聴情報生成部が、前記視聴者情報および前記接続情報を参照し、前記表示装置から出力される映像および音声を視聴する視聴者が存在し、且つ当該放送受信装置が前記表示装置と接続している場合に、前記チャンネル情報に基づいて視聴情報を生成するステップと、
視聴情報送信部が、前記視聴情報収集サーバに送信するステップとを備えたことを特徴とする視聴情報収集方法。
【発明の詳細な説明】
【技術分野】
【０００１】
この発明は、放送配信サービスにおける視聴者の視聴情報を収集する視聴情報収集システム、放送受信装置および視聴情報収集方法に関するものである。
【背景技術】
【０００２】
ＩＰ（Ｉｎｔｅｒｎｅｔ  Ｐｒｏｔｏｃｏｌ）ネットワークを利用して、ＴＶ（Ｔｅｌｅ−Ｖｉｓｉｏｎ）放送などの映像コンテンツ(番組)を配信するサービスとして、ＩＰＴＶサービスがある。ＩＰＴＶサービスは、コンテンツ配信サービスを行うサービス事業者がサービス事業者と契約した視聴者にＩＰＴＶ端末を貸与または販売し、ＩＰＴＶ端末を介して視聴者に番組を提供するサービスであり、サービス事業者のＩＰＴＶ放送配信サーバからＩＰＴＶ端末に対して、番組をＩＰパケットとしてＩＰネットワークを介して配信される。ＩＰＴＶサービスではサービス事業者が１つまたは複数存在し、各サービス事業者が複数のチャンネル構成を持ち、複数の番組を同時に配信することを想定している。このようなサービスでは、視聴者がどの番組をどの時刻にどれだけ視聴したかを表す視聴情報を収集することが、番組の品質評価や視聴者の嗜好（例えば、スポーツ番組を見る割合が高いなど）を認識する上で重要である。【０００３】
従来より、視聴情報を収集するためのシステムが複数開示されている。例えば特許文献１には、番組を配信するＩＰマルチキャスト放送サーバ、番組を受信するＩＰマルチキャスト受信端末、視聴情報を収集する視聴情報受信サーバをＩＰネットワークで接続し、各ＩＰマルチキャスト受信端末が受信を開始した番組のチャンネル名、受信を停止した番組のチャンネル名、および時刻などを視聴情報として生成し、生成した視聴情報を視聴情報受信サーバに送信する方法が開示されている。
また、特許文献２には、視聴者の嗜好を認識することを目的として、ＩＰＴＶ端末にカメラを設置し、ＩＰＴＶ装置においてカメラで撮影された画像を処理することによりＴＶの前に位置する視聴者を特定し、ＩＰＴＶ端末が受信する番組と視聴者とを関連付ける方法が開示されている。
【先行技術文献】
【特許文献】
【０００４】
【特許文献１】特開２０１０−２３３２６８号公報
【特許文献２】特開２０１０−９８６０３号公報
【発明の概要】
【発明が解決しようとする課題】
【０００５】
しかしながら、上述した特許文献１および特許文献２では、ＩＰＴＶマルチキャスト受信端末が受信している番組に基づいて視聴情報を生成するため、ＩＰＴＶマルチキャスト受信端末の電源を切らずに、視聴者がＴＶの前から離れた場合、あるいはＴＶではレコーダに記憶させた録画番組を見ている場合であっても、ＩＰＴＶマルチキャスト受信端末が受信している番組を視聴情報として扱ってしまうという課題があった。
すなわち、ＴＶの前に視聴者が１人もいない場合やＩＰＴＶマルチキャスト受信端末がＴＶと接続されていない場合、あるいはＩＰＴＶマルチキャスト受信端末と接続されているＴＶが複数の入力端子を有し、ＴＶの入力としてＩＰＴＶマルチキャスト受信端末以外の入力が選択されており、ＩＰＴＶマルチキャスト受信端末の番組を視聴者に提示していない場合でもＩＰＴＶマルチキャスト受信端末が受信中の番組を視聴情報として視聴情報受信サーバに送信してしまい、正確な視聴情報を収集できないという課題があった。【０００６】
この発明は、上記のような課題を解決するためになされたもので、放送受信端末が受信中の番組を実際に視聴者が視聴している場合の視聴情報を収集することを目的とする。
【課題を解決するための手段】
【０００７】
この発明に係る情報収集システムは、放送受信装置が、表示装置から出力される映像および音声を視聴する視聴者に関する情報である視聴者情報を取得する視聴者情報取得部と、放送配信サーバにより配信されるＩＰＴＶ放送のチャンネル情報を検出するチャンネル情報検出部と、放送受信装置と表示装置との接続を検出し、接続情報を生成する接続検出部と、視聴者情報取得部が取得した視聴者情報および接続検出部が生成した接続情報を参照し、表示装置から出力される映像および音声を視聴する視聴者が存在し、且つ当該放送受信装置が表示装置と接続している場合に、チャンネル情報検出部が検出したチャンネル情報に基づいて視聴情報を生成する視聴情報生成部と、視聴情報生成部が生成した視聴情報を視聴情報収集サーバに送信する視聴情報送信部とを備えるものである。
【発明の効果】
【０００８】
この発明によれば、放送受信装置が受信中の番組を視聴者が実際に視聴しているか判定することができ、正確な視聴情報を収集することができる。
【図面の簡単な説明】
【０００９】
【図１】実施の形態１による情報収集システムの構成を示すブロック図である。
【図２】実施の形態１による情報収集システムの視聴者認識装置が生成する視聴者情報の一例を示す図である。
【図３】実施の形態１による情報収集システムのチャンネル情報検出部が検出するチャンネル情報の一例を示す図である。
【図４】実施の形態１による情報収集システムのＴＶ接続検出部が生成するＴＶ接続情報の一例を示す図である。
【図５】実施の形態１による情報収集システムの動作を示すフローチャートである。
【図６】実施の形態１による情報収集システムのチャンネル情報検出部の動作を示すフローチャートである。
【図７】実施の形態１による情報収集システムの視聴情報生成部の動作を示すフローチャートである。
【図８】実施の形態１による情報収集システムの視聴情報生成部の視聴情報生成条件の一例を示す図である。
【図９】実施の形態１による情報収集システムの視聴情報生成部が生成した視聴情報の一例を示す図である。
【図１０】実施の形態１による情報収集システムの視聴情報送信部の動作を示すフローチャートである。
【図１１】実施の形態１による情報収集システムの視聴情報送信部の視聴情報送信条件の一例を示す図である。
【図１２】実施の形態２による情報収集システムの構成を示すブロック図である。
【図１３】実施の形態２による情報収集システムの放送録画再生部の録画動作を示すフローチャートである。
【図１４】実施の形態２による情報収集システムの放送録画再生部の再生動作を示すフローチャートである。
【図１５】実施の形態２による情報収集システムの放送録画再生部の操作履歴情報の一例を示す図である。
【図１６】実施の形態２による情報収集システムの視聴情報生成部の動作を示すフローチャートである。
【発明を実施するための形態】
【００１０】
以下、この発明をより詳細に説明するために、この発明を実施するための形態について、添付の図面に従って説明する。
実施の形態１．
図１は、この発明の実施の形態１による視聴情報収集システムの構成を示す図である。
視聴情報収集システムは、ＩＰＴＶ放送配信サーバ１００、視聴情報収集サーバ２００、ＩＰＴＶ端末（放送受信装置）３００、視聴者認識装置４００、ＴＶ（表示装置）５００およびＩＰネットワーク６００で構成されている。ＩＰＴＶ放送配信サーバ１００、視聴情報収集サーバ２００およびＩＰＴＶ端末３００はＩＰネットワーク６００に接続されており、視聴者認識装置４００およびＴＶ５００はＩＰＴＶ端末３００に接続されている。
【００１１】
ＩＰＴＶ放送配信サーバ１００は、映像データおよび音声データなどをＩＰネットワーク６００を介してＩＰＴＶ端末３００に配信するサーバである。ＩＰＴＶ放送配信サーバ１００により配信される映像データや音声データなどは、ＩＰＴＶ放送配信サーバ１００内で映像符号化、音声符号化により圧縮され、ＩＰパケットとして構成された後、ＩＰネットワーク６００に送信される。ＩＰＴＶサービスではＩＰマルチキャストが使用されることが一般的であるが、ＩＰマルチキャストに限定するものではなく、ＵＤＰのユニキャストまたはＨＴＴＰ（ＨｙｐｅｒＴｅｘｔ  Ｔｒａｎｓｆｅｒ  Ｐｒｏｔｏｃｏｌ）のようなＴＣＰ／ＩＰの通信プロトコルを使用しても良い。
【００１２】
視聴情報収集サーバ２００は、ＩＰネットワーク６００を介してＩＰＴＶ端末３００から視聴情報を受信するサーバである。ＩＰＴＶ端末３００は、視聴者がリモコンなどで選択したチャンネルに対応した映像、音声などのデータをＩＰネットワーク６００経由でＩＰＴＶ放送配信サーバ１００から受信してデコードし、接続されたＴＶ５００に映像および音声を出力する端末である。
【００１３】
視聴者認識装置４００は、ビデオセンサ４０１を備える。ビデオセンサ４０１は、カメラや動きセンサなどで構成され、ＴＶ５００付近に位置する視聴者を撮影または検出する。視聴者認識装置４００は、ビデオセンサ４０１の撮影データまたは検出結果に基づいて視聴者を認識し、視聴者情報を生成する。視聴者認識装置４００が生成する視聴者情報の一例を図２に示す。図２に示した視聴者情報は、視聴者の検出を行った時刻、ＴＶ５００の前に位置する視聴者の有無、人数、年齢および性別で構成されている。なお、図２の視聴者情報の項目は一例であり、これらの項目に限定されるものではない。
【００１４】
次に、ＩＰＴＶ端末３００の詳細について説明する。
ＩＰＴＶ端末３００は、ＩＰＴＶ放送受信部３０１、チャンネル情報検出部３０２、視聴者情報取得部３０３、ＴＶ接続検出部３０４、視聴情報生成部３０５および視聴情報送信部３０６で構成されている。
ＩＰＴＶ放送受信部３０１はＩＰＴＶ端末３００の基本機能を提供する。すなわち、視聴者がリモコンなどで選択したチャンネルに対応した映像データおよび音声データなどをＩＰネットワーク６００経由でＩＰＴＶ放送配信サーバ１００から受信してデコードし、接続されたＴＶ５００に映像、音声を出力する機能を有する。さらにＩＰＴＶ放送受信部３０１は、チャンネルの変更時の処理を行う機能も有する。具体的にはＩＰＴＶ放送受信部３０１は視聴者のリモコン操作などによりチャンネル変更が発生した際に、変更後のチャンネルＩＤに対応するチャンネル／アドレス対応表を参照し、ＩＰネットワーク６００を利用した通信に必要なアドレスを取得し、チャンネル変更のための制御を行う。
【００１５】
チャンネル情報検出部３０２は、ＩＰＴＶ端末３００が受信するＩＰＴＶ放送のチャンネル情報を検出する機能を有する。チャンネル情報検出部３０２が検出するチャンネル情報の一例を図３に示す。図３では、ＩＰＴＶ端末３００が受信するチャンネルに変更が発生した際に、チャンネル情報検出部３０２が検出したチャンネル情報として、チャンネルＩＤ、開始イベントとその開始時刻、終了イベントとその終了時刻が示されている。なお、図３のチャンネル情報の項目は一例であり、これらの項目に限定されるものではない。
【００１６】
視聴者情報取得部３０３は、視聴者認識装置４００が生成した視聴者情報を取得する機能を有する。
ＴＶ接続検出部３０４は、ＩＰＴＶ端末３００とＴＶ５００との接続の有無を検出する機能を有する。ＩＰＴＶ端末３００とＴＶ５００との接続の有無の検出方法としては、例えばＩＰＴＶ端末３００とＴＶ５００をＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルで接続し、ＨＤＭＩの既存の機能であるホットプラグ検出（ＨＰＤ＝Ｈｏｔ  Ｐｌｕｇ  Ｄｅｔｅｃｔ）機能を使用する方法がある。具体的には、ＨＤＭＩのＤＤＣ（Ｄｉｓｐｌａｙ  Ｄａｔａ  Ｃｈａｎｎｅｌ）信号とＨＰＤ信号を使用し、ＩＰＴＶ端末３００からＤＤＣ信号線に信号を送信し、ＨＤＭＩケーブルを介してＤＤＣ信号線の信号を検出したＴＶ５００がＨＰＤ信号線に信号を送信し、ＩＰＴＶ端末３００がＴＶ５００からのＨＰＤ信号線の信号を検出することにより、ＨＤＭＩケーブルにＴＶ５００が接続されていることを検出することが可能である。
ＴＶ接続検出部３０４が生成するＴＶ接続情報の一例を図４に示す。図４に示したＴＶ接続情報は、ＴＶ接続の検出を行った時刻とＴＶ接続の有無が示されている。なお、図４のＴＶ接続情報の項目は一例であり、これらの項目に限定されるものではない。
【００１７】
視聴情報生成部３０５は、チャンネル情報検出部３０２が検出したチャンネル情報、視聴者情報取得部３０３が取得した視聴者情報およびＴＶ接続検出部３０４が検出したＴＶ接続情報に基づいて、視聴情報を生成する機能を有する。
視聴情報送信部３０６は、視聴情報生成部３０５が生成した視聴情報をＩＰパケットとして構成し、ＩＰネットワーク６００を介して視聴情報収集サーバ２００に送信する機能を有する。
【００１８】
次に、実施の形態１による視聴情報収集システムの動作について、図５から図７および図１０を参照しながら説明する。まず図５は、この発明の実施の形態１による視聴情報収集システムのＩＰＴＶ端末の動作を示すフローチャートであり、特にＩＰＴＶ端末３００の電源がオンされてからオフされるまでの間に、ＩＰＴＶ放送の受信、チャンネルの変更、視聴情報の生成および視聴情報収集サーバ２００への視聴情報の送信を行う一連動作を示すフローチャートである。
【００１９】
ＩＰＴＶ端末３００の電源がオンになると、ＩＰＴＶ放送受信部３０１が初期化処理を行い、動作状態となる（ステップＳＴ１）。ＩＰＴＶ放送受信部３０１は、ＩＰＴＶ放送配信サーバ２００に接続し、チャンネル／アドレス対応表を取得する（ステップＳＴ２）。ここで、チャンネル／アドレス対応表とは、ＩＰＴＶ放送受信部３０１が配信するＩＰＴＶ放送の各チャンネルとＩＰパケット受信のためのＩＰアドレスを対応付けた表である。ＩＰＴＶ放送受信部３０１は、前回の電源オフ時に選択していたチャンネルまたはサービス事業者のデフォルトのチャンネルを初期チャンネルとして取得する（ステップＳＴ３）。ＩＰＴＶ放送受信部３０１は、ステップＳＴ３で取得した初期チャンネルを受信するためのチャンネル変更処理を行う（ステップＳＴ４）。ステップＳＴ１からステップＳＴ４までの処理により、ＩＰＴＶ端末３００の起動が完了し、初期チャンネルの受信が開始される。
【００２０】
次に、ＩＰＴＶ放送受信部３０１は、視聴者のリモコン（不図示）操作などによる状態変更要求が入力されたか否か判定を行う（ステップＳＴ５）。状態変更要求が入力されていない場合（ステップＳＴ５；ＮＯ）、視聴情報生成要求を生成および出力し、視聴情報生成部３０５において視聴情報生成処理が行われる（ステップＳＴ６）。ステップＳＴ６で生成された視聴情報は、視聴情報送信部３０６がＩＰネットワーク６００を介して視聴情報収集サーバ２００に出力する（ステップＳＴ７）。その後、フローはステップＳＴ５の処理に戻り、上述した処理を繰り返す。
【００２１】
一方、状態変更要求が入力された場合（ステップＳＴ５；ＹＥＳ）、ＩＰＴＶ放送受信部３０１はさらに状態変更要求がチャンネル変更であるか否か判定を行う（ステップＳＴ８）。状態変更要求がチャンネル変更であった場合（ステップＳＴ８；ＹＥＳ）、ＩＰＴＶ放送受信部３０１はチャンネル変更処理を行い（ステップＳＴ９）、上述したステップＳＴ６の処理に進む。
【００２２】
さらに状態変更要求がチャンネル変更でない場合（ステップＳＴ８；ＮＯ）、ＩＰＴＶ放送受信部３０１は状態変更要求が電源オフであるか否か判定を行う（ステップＳＴ１０）。状態変更要求が電源オフでない場合（ステップＳＴ１０；ＮＯ）、ＩＰＴＶ放送受信部３０１はチャンネル変更以外の処理を行い（ステップＳＴ１１）、上述したステップＳＴ６の処理に進む。一方、状態変更要求が電源オフであった場合（ステップＳＴ１０；ＹＥＳ）、ＩＰＴＶ放送受信部３０１はチャンネル変更処理を行い（ステップＳＴ１２）、終了処理および電源オフの処理を行い（ステップＳＴ１３）、処理を終了する。
【００２３】
次に、図６のフローチャートを参照しながら、上述したチャンネル変更処理（図５におけるステップＳＴ４，ＳＴ９，ＳＴ１２）の詳細について説明する。
ＩＰＴＶ放送受信部３０１は、まずチャンネル変更処理が電源オン直後のチャンネル変更処理であるか否か判定を行う（ステップＳＴ２１）。即ち、図６のフローチャートで示したステップＳＴ４のチャンネル変更処理であるか判定する。
【００２４】
電源オン直後のチャンネル変更処理でない場合（ステップＳＴ２１；ＮＯ）、ＩＰＴＶ放送受信部３０１はチャンネル変更前のチャンネルにおけるＩＰＴＶ放送の受信終了処理を行う（ステップＳＴ２２）。さらに電源オフ時のチャンネル変更処理でない場合（ステップＳＴ２３；ＮＯ）、チャンネル変更後のチャンネルのＩＰＴＶ放送の受信開始処理を行う（ステップＳＴ２４）。その後、ＩＰＴＶ放送受信部３０１は、チャンネル情報検出部３０２にチャンネル情報検出要求を通知し、チャンネル情報検出部３０２がチャンネル情報の検出を行う（ステップＳＴ２５）。ステップＳＴ２４のチャンネル情報の検出処理では、図３に示したチャンネル変更の対象となるチャンネルのチャンネルＩＤ、開始イベント、開始時刻、終了イベント、終了時刻などを検出し、保存する。チャンネル情報検出部３０２は、チャンネル情報の検出処理を完了すると、その旨をＩＰＴＶ放送受信部３０１に通知し（ステップＳＴ２６）、処理を終了する。
【００２５】
一方、電源オン直後のチャンネル変更処理である場合（ステップＳＴ２１；ＹＥＳ）、ステップＳＴ２２の処理を省略し、ステップＳＴ２４の処理に進む。これは、電源オン直後はＩＰＴＶ放送が未受信の状態であり、ＩＰＴＶ放送の受信終了処理を行う必要がないためである。
一方、電源オフ時のチャンネル変更処理である場合（ステップＳＴ２３；ＹＥＳ）、ステップＳＴ２４の処理を省略し、ステップＳＴ２５の処理に進む。これは、電源オフ時はＩＰＴＶ放送の受信終了後にＩＰＴＶ放送の受信開始処理を行う必要がないためである。
【００２６】
次に、図７のフローチャートを参照しながら、上述した視聴情報生成処理（図５におけるステップＳＴ６）の詳細について説明する。
まず視聴情報生成部３０５は、ＩＰＴＶ放送受信部３０１から視聴情報生成要求通知を受けると、視聴情報を生成する条件を満たすか否かを判定する（ステップＳＴ３１）。ステップＳＴ３１の判定処理に用いる視聴情報生成条件の一例を図８に示す。図８ではＮｏ．１からＮｏ．４の４つの条件を示しており、この４つの条件のいずれかに該当した場合に視聴情報を生成する。なお、視聴情報生成条件は図８で示した項目に限定されるものではない。
【００２７】
視聴情報生成条件を満たす場合（ステップＳＴ３１；ＹＥＳ）、視聴情報生成部３０５は、視聴者情報取得部３０３から視聴者情報を取得する（ステップＳＴ３２）。さらに視聴情報生成部３０５は、ＴＶ接続検出部３０４が検出したＴＶ接続情報を取得する（ステップＳＴ３３）。視聴情報生成部３０５は、ステップＳＴ３２で取得した視聴者情報およびステップＳＴ３３で取得したＴＶ接続情報を参照し、ＴＶ５００の前に視聴者が存在し、且つＴＶ５００と接続しているか否か判定を行う（ステップＳＴ３４）。ＴＶ５００の前に視聴者が存在し、且つＴＶ５００と接続している場合（ステップＳＴ３４；ＹＥＳ）、視聴情報生成部３０５は視聴情報およびＴＶ接続情報に加え、チャンネル情報検出部３０２が検出したチャンネル情報に基づいて視聴情報を生成し（ステップＳＴ３５）、ＩＰＴＶ放送受信部３０１に視聴情報生成の処理完了通知を行い（ステップＳＴ３６）、処理を終了する。
【００２８】
一方、視聴情報生成条件を満たさない場合（ステップＳＴ３１；ＮＯ）、およびＴＶ５００の前に視聴者が存在しない、またはＴＶ５００と接続していない場合（ステップＳＴ３４；ＮＯ）、ＩＰＴＶ放送受信部３０１に処理完了通知を行い（ステップＳＴ３６）、処理を終了する。
【００２９】
図７のフローチャートで示した視聴情報生成処理の具体例を、図２の視聴者情報および図４のＴＶ接続情報を一例として説明する。
図２に示した視聴者情報からは、１１／０３／３１  １０：００：００〜１４：００：００と１７：００：００〜２１：００：００はＴＶの前に視聴者が存在し、図４に示したＴＶ接続情報からは、１１／０３／３１  １０：００：００〜１３：３０：００と１７：３０：００以降はＴＶ接続があることが分かる。従って、ＴＶ５００の前に視聴者が存在し、且つＴＶ接続がある時刻は両方の条件を満たす１１／０３／３１  １０：００：００〜１３：３０：００と１７：３０：００〜２１：００：００となる。この場合、視聴情報生成部３０５は当該条件を満たす期間の視聴情報は生成するが、それ以外の期間の視聴情報は生成しない。
【００３０】
さらに、視聴情報生成部３０５が図３に示したチャンネル情報に基づいて視聴情報を生成した結果を図８に示す。図９の視聴情報では、ＴＶ接続のない１１／０３／３１  １３：３０：００〜１７：３０：００の期間、およびＴＶ５００の前に視聴者が存在しない２１：００：００以降についてのチャンネル情報を除外して視聴情報を生成している。
【００３１】
次に、図１０のフローチャートを参照しながら、上述した視聴情報送信処理（図５におけるステップＳＴ７）の詳細について説明する。
視聴情報送信部３０６は、ＩＰＴＶ放送受信部３０１から視聴情報送信要求通知を受けると、視聴情報を送信する条件を満たすか否か判定する（ステップＳＴ４１）。ステップＳＴ４１の判定処理に用いる視聴情報送信条件の一例を図に示す。図１１では、定期的、ランダムおよび視聴情報収集サーバ２００からの要求時の３つの条件を示しており、この３つの条件のいずれかに該当した場合に視聴情報を送信する。なお、視聴情報送信条件は図１１で示した項目に限定されるものではない。
【００３２】
視聴情報送信条件を満たす場合（ステップＳＴ４１；ＹＥＳ）、視聴情報送信部３０６は、視聴情報生成部３０５から生成した視聴情報を取得し、ＩＰパケットとして構成し、ＩＰネットワーク６００を介して視聴情報収集サーバ２００に視聴情報を送信する（ステップＳＴ４２）。その後、ＩＰＴＶ放送受信部３０１に処理完了通知を行い（ステップＳＴ４３）、処理を終了する。
【００３３】
以上のように、この実施の形態１によれば、視聴者認識装置４００によるＴＶの前に位置する視聴者の認識結果、およびＴＶ接続検出部３０４によるＴＶ５００と接続しているか否かの検出結果に基づいて、ＴＶ５００の前に視聴者が存在し、且つＴＶ５００と接続されている場合にのみ視聴情報を生成する視聴情報生成部３０５と、生成した視聴情報を視聴情報送信サーバ２００に送信する視聴情報送信部３０６とを備えるように構成しているので、ＩＰＴＶ端末が受信している番組を視聴者が実際に視聴しているか否かを正しく判定することができ、正確な視聴情報を収集することができる。
【００３４】
なお、上述した実施の形態１では、ＩＰＴＶ端末３００がＴＶ５００とは異なる装置として示したが、ＴＶ５００がＩＰＴＶ端末３００を内蔵するように構成してもよい。また、ＩＰＴＶ端末３００が映像および音声などを出力する装置はＴＶ５００に限定されることなく、ＤＶＤレコーダやブルーレイレコーダのような映像音声記憶装置やその他の映像音声出力装置で構成してもよい。
【００３５】
また、上述した実施の形態１では、ＩＰＴＶ端末３００とＴＶ５００との接続の有無を検出する方法として、ＨＤＭＩのＤＤＣ（Ｄｉｓｐｌａｙ  Ｄａｔａ  Ｃｈａｎｎｅｌ）信号を使用し、ＩＰＴＶ端末３００がＴＶ５００からＥＤＩＤ（Ｅｘｔｅｎｄｅｄ  Ｄｉｓｐｌａｙ  Ｉｄｅｎｔｉｆｉｃａｔｉｏｎ  Ｄａｔａ）と呼ばれる機器固有情報（ベンダ名、型番、許容解像度など）を取得することにより、ＴＶ５００の接続有無に加え、ＩＰＴＶ端末３００が出力する映像、音声を接続先の装置が提示する機能を備えるか否かを検出し、提示する機能を備えることをＴＶ５００との接続があると検出する条件としても良い。さらに、ＨＤＭＩのＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）認証が完了したことをＴＶ５００との接続があると検出する条件としてもよい。
【００３６】
また、上述した実施の形態１では、ＴＶ５００の前に位置する視聴者をビデオセンサ４０１が検出する構成を示したが、他の手段を用いてＴＶの前に位置する視聴者を検出するように構成してもよい。例えば、赤外センサなどを用いて単に人の有無のみを検出する装置を用いてもよい。
また、上述した実施の形態１では、視聴者認識装置４００とＩＰＴＶ端末３００とは異なる装置として示したが、これに限定されるものではない。例えば、ＩＰＴＶ端末３００が視聴者認識装置４００を内蔵しても良いし、ＴＶ５００が視聴者認識装置４００を内蔵するように構成してもよい。ＴＶ５００が視聴者認識装置４００を内蔵する場合、ＩＰＴＶ端末３００内の視聴者情報取得部３０３は、視聴者情報をＴＶ５００から取得する。
【００３７】
また、上述した実施の形態１では、視聴者認識装置４００にビデオセンサ４０１を内蔵する構成を示したが、視聴者認識装置４００とビデオセンサ４０１を分離させ、視聴者認識装置４００をＩＰＴＶ端末３００に内蔵するように構成してもよい。この場合、外部に設けられたビデオセンサ４０１は、カメラなどで撮影した映像やセンサで取得したデータをＩＰＴＶ端末３００に内蔵した視聴者認識部に送信し、当該視聴者認識部が映像を解析して視聴者情報を生成する。
【００３８】
また、上述した実施の形態１では、ＩＰＴＶ放送配信サーバ１００および視聴情報収集サーバ２００を設ける構成を示したが、同一のサーバを用いるように構成してもよい。また、視聴情報収集サーバ２００は、サービス事業者とは異なる第三者機関が設置するサーバであってもよい。
【００３９】
実施の形態２．
上述した実施の形態１では、視聴者がＩＰＴＶ放送を視聴している際の視聴番組を収集する構成を示したが、この実施の形態２ではＩＰＴＶ端末３００がＩＰＴＶ放送をＨＤＤなどの記憶媒体に録画する機能を備え、視聴者がＩＰＴＶ放送を録画する場合、および録画したコンテンツを再生する場合に視聴情報を収集する構成を示す。
図１２は、この発明の実施の形態２による視聴情報収集システムの構成を示す図である。視聴情報収集システムは、ＩＰＴＶ放送配信サーバ１００、視聴情報収集サーバ２００、ＩＰＴＶ端末３００´、視聴者認識装置４００、ＴＶ５００およびＩＰネットワーク６００で構成されている。ＩＰＴＶ端末３００´は、実施の形態１のＩＰＴＶ端末３００に放送録画再生部３０７および記憶媒体３０８を追加して設けている。また、視聴情報生成部３０５´は、チャンネル情報に加え、記憶媒体３０８に記憶された情報にも基づいて視聴情報を生成する。なお以下では、実施の形態１による視聴情報収集システムの構成要素と同一または相当する部分には、実施の形態１で使用した符号と同一の符号を付して説明を省略または簡略化する。
【００４０】
放送録画再生部３０７は、ＩＰＴＶ放送受信部３０１が受信したＩＰＴＶ放送をＨＤＤなどの記憶媒体３０８に録画する機能、さらに記憶媒体３０８に録画したＩＰＴＶ放送（以下、録画コンテンツと称する）を再生する機能を有している。
記憶媒体３０８は、図１２に示したようにＩＰＴＶ端末３００内に内蔵するように構成してもよいし、ＩＰＴＶ端末３００とは異なる機器に記憶媒体３０８を備え、当該機器とＩＰＴＶ端末３００とをＵＳＢケーブルやＩＰネットワークなどを用いて接続するように構成してもよい。
【００４１】
次に、実施の形態２による情報収集システムの放送録画再生部の動作について説明する。放送録画再生部の動作は、録画開始時の動作、および録画コンテンツ再生時の動作に分けて説明を行う。まず、図１３のフローチャートを参照しながら録画開始時の動作について説明する。
視聴者がリモコン操作などにより録画開始の操作を行った場合、または視聴者が録画予約を操作して録画開始時刻に到達した場合に、ＩＰＴＶ放送受信部３０１は、放送録画再生部３０７に録画開始を通知すると共に、受信したＩＰＴＶ放送の転送を開始する（ステップＳＴ５１）。放送録画再生部３０７は、ＩＰＴＶ放送受信部３０１から録画開始通知を受信すると、転送されるＩＰＴＶ放送の記憶媒体３０８への蓄積を開始し（ステップＳＴ５２）、さらに録画開始時にチャンネルＩＤ、放送日時、録画コンテンツＩＤ、操作種別、操作開始日時などの録画操作履歴情報を記憶媒体３０８へ蓄積する（ステップＳＴ５３）。
【００４２】
その後、放送録画再生部３０７は、ＩＰＴＶ放送受信部３０１からＩＰＴＶ放送の転送終了通知を受信したか否か判定を行い（ステップＳＴ５４）、ＩＰＴＶ放送の転送終了通知を受信した場合には（ステップＳＴ５４；ＹＥＳ）、記憶媒体３０８への蓄積処理を終了すると共に、録画終了時刻を録画操作履歴情報に記憶させ（ステップＳＴ５５）、処理を終了する。一方、ＩＰＴＶ放送の転送終了通知を受信していない場合には（ステップＳＴ５５；ＮＯ）、転送が終了するまでステップＳＴ５４の判定処理を繰り返す。
【００４３】
次に、図１４のフローチャートを参照しながら録画コンテンツ再生時の動作について説明する。
視聴者がリモコン操作などにより録画コンテンツ再生開始の操作を行った場合に、ＩＰＴＶ放送受信部３０１は、放送録画再生部３０７に録画コンテンツ再生開始を通知する（ステップＳＴ６１）。放送録画再生部３０７は、ＩＰＴＶ放送受信部３０１から録画コンテンツ再生開始通知を受信すると、記憶媒体３０８から録画コンテンツを読み出し、再生処理を開始し（ステップＳＴ６２）、さらに再生開始時にチャンネルＩＤ，放送日時、録画コンテンツＩＤ，操作種別、操作開始日時などの再生操作履歴情報を記憶媒体３０８へ蓄積する（ステップＳＴ６３）。
【００４４】
その後、放送録画再生部３０７は、ＩＰＴＶ放送受信部３０１から録画コンテンツ再生終了通知を受信したか否か判定を行い（ステップＳＴ６４）、録画コンテンツの再生終了通知を受信した場合（ステップＳＴ６４；ＹＥＳ）、記憶媒体３０８からの録画コンテンツの読み出し処理および再生処理を終了すると共に、操作終了時刻を再生操作履歴情報に記憶させ（ステップＳＴ６５）、処理を終了する。一方、録画コンテンツ再生終了通知を受信していない場合には（ステップＳＴ６４；ＮＯ）、録画コンテンツ再生終了通知を受信するまでステップＳＴ６４の判定処理を繰り返す。
【００４５】
図１５に、放送録画再生部３０７が記憶する操作履歴情報の一例を示す。図１５では、操作履歴として、チャンネルＩＤ、放送日時、録画時に付与される録画コンテンツＩＤ、操作種別（録画／再生／削除）、操作開始日時、操作終了日時が示されている。これによりコンテンツの録画情報および録画コンテンツの再生情報を取得することができる。
なお、図１３に示した操作履歴情報の項目は一例であり、例えば、操作種別として録画コンテンツの早送り、巻き戻し、一時停止などの項目を追加してもよいし、逆に項目を削除してもよい。
【００４６】
視聴情報生成部３０５´は、視聴情報を生成する際に、チャンネル情報検出部３０２が検出したチャンネル情報に加え、放送録画再生部３０７が記憶媒体３０８に蓄積させた操作履歴情報に基づいて視聴情報を生成する。
図１６は、実施の形態２による視聴情報収集システムの視聴情報生成部の動作を示すフローチャートである。なお以下では、実施の形態１による視聴情報収集システムの視聴情報生成部と同一のステップには図７で使用した符号と同一の符号を付し、説明を省略または簡略化する。
【００４７】
視聴情報生成部３０５´は、ステップＳＴ３２で取得した視聴者情報およびステップＳＴ３３で取得したＴＶ接続情報を参照し、ＴＶ５００の前に視聴者が存在し、且つＴＶ５００と接続しているか否か判定を行う（ステップＳＴ３４）。ＴＶ５００の前に視聴者が存在し、且つＴＶ５００と接続している場合（ステップＳＴ３４；ＹＥＳ）、ステップＳＴ３５´の処理に進む。一方、ＴＶ５００の前に視聴者が存在しない、またはＴＶ５００と接続していない場合（ステップＳＴ３４；ＮＯ）、さらに視聴情報生成部３０５´は操作履歴情報を参照し、ＩＰＴＶ放送の録画が行われているか、または録画コンテンツの再生が行われているか判定を行う（ステップＳＴ７１）。ＩＰＴＶ放送の録画が行われている、あるいは録画コンテンツの再生が行われている場合（ステップＳＴ７１；ＹＥＳ）、ステップＳＴ３５´の処理に進む。
【００４８】
ステップＳＴ３５´では、視聴情報およびＴＶ接続情報、または操作履歴情報に加え、チャンネル情報検出部３０２が検出したチャンネル情報に基づいて視聴情報を生成する。その後、ＩＰＴＶ放送受信部３０１に視聴情報生成の処理完了通知を行い（ステップＳＴ３６）、処理を終了する。一方、ＩＰＴＶ放送の録画および録画コンテンツの再生が行われていない場合（ステップＳＴ７１；ＮＯ）、ステップＳＴ３６の処理に進む。一方、視聴情報生成条件を満たさない場合（ステップＳＴ３１；ＮＯ）、およびＴＶ５００の前に視聴者が存在しない、またはＴＶ接続がない場合（ステップＳＴ３４；ＮＯ）、ＩＰＴＶ放送受信部３０１に処理完了通知を行い（ステップＳＴ３６）、処理を終了する。
【００４９】
上述の動作により、ＴＶ５００の前に視聴者がいない、あるいはＩＰＴＶ端末とＴＶ５００が接続されていない場合であっても、ＩＰＴＶ放送を録画している場合や録画コンテンツを再生している場合に視聴情報を生成することができる。
視聴情報送信部３０６は、実施の形態１と同様に視聴情報送信条件に従って、視聴情報生成部３０５´が生成した視聴情報を視聴情報収集サーバ２００に送信する。
【００５０】
以上のように、この実施の形態２によれば、受信したＩＰＴＶ放送を記憶媒体３０８に録画し、さらに記憶媒体３０８に録画した録画コンテンツを再生し、操作履歴情報を生成する放送録画再生部３０７を備え、視聴情報生成部３０５´は視聴者情報、ＴＶ接続情報、操作履歴情報およびチャンネル情報に基づいて視聴情報を生成するように構成したので、ＩＰＴＶ放送を録画した際にＴＶ５００の前に視聴者が位置していない場合、あるいは録画中にＴＶ５００の入力としてＩＰＴＶ端末３００以外を選択していた場合であっても、ＩＰＴＶ放送の録画、および録画したＩＰＴＶ放送の再生に関する情報に基づいて視聴情報を生成することができ、より正確な視聴情報を収集することができる。
【００５１】
なお、上述した実施の形態２では、視聴情報の属性として、視聴時、録画時、再生時の３種類存在し、例えば視聴と録画、視聴と録画と再生のように同一の番組に対して複数の視聴情報が生成されることがある。この場合、視聴、録画、再生のいずれかにおいて視聴情報を視聴情報収集サーバ２００に送信済みの番組に関しては、録画や再生時に再度視聴情報を生成しないように設定してもよい。これにより、同一の番組に対して視聴情報が複数回収集されるのを防止することができ、無駄なネットワークトラフィックの発生を抑制することができる。
【００５２】
なお、上述した実施の形態１および実施の形態２では、視聴情報生成部３０５，３０５´が生成した視聴情報を、視聴情報送信部３０２およびＩＰネットワーク６００を介して視聴情報収集サーバ２００に送信する構成を示したが、生成した視聴情報は、ＩＰＴＶ端末３００に記憶媒体（不図示）などに蓄積し、ユーザの要望に応じて蓄積した視聴情報を提供するように構成してもよい。
【００５３】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００５４】
この発明に係る視聴情報収集システム、放送受信装置、および視聴情報収集方法は、視聴者認識装置によるＴＶの前に位置する視聴者の認識結果、およびＴＶ接続検出部によるＴＶと接続しているか否かの検出結果に基づいて、ＴＶの前に視聴者が存在し、且つＴＶと接続されている場合にのみ視聴情報を生成する視聴情報生成部と、生成した視聴情報を視聴情報送信サーバに送信する視聴情報送信部とを備え、ＩＰＴＶ端末が受信している番組を視聴者が実際に視聴しているか否かを正しく判定することができるので、放送などの映像コンテンツ(番組)を配信するサービスに用いるのに適している。
【符号の説明】
【００５５】
１００  ＩＰＴＶ放送配信サーバ、２００  視聴情報収集サーバ、３００  ＩＰＴＶ端末、３０１  ＩＰＴＶ放送受信部、３０２  チャンネル情報検出部、３０３  視聴者情報取得部、３０４  ＴＶ接続検出部、３０５，３０５´  視聴情報生成部、３０６  視聴情報送信部、３０７  放送録画再生部、３０８  記憶媒体、４００  視聴者認識装置、４０１  ビデオセンサ、５００  ＴＶ、６００  ＩＰネットワーク。
【図１】
0005452775.tif 000002
【図２】
0005452775.tif 000003
【図３】
0005452775.tif 000004
【図４】
0005452775.tif 000005
【図５】
0005452775.tif 000006
【図６】
0005452775.tif 000007
【図７】
0005452775.tif 000008
【図８】
0005452775.tif 000009
【図９】
0005452775.tif 000010
【図１０】
0005452775.tif 000011
【図１１】
0005452775.tif 000012
【図１２】
0005452775.tif 000013
【図１３】
0005452775.tif 000014
【図１４】
0005452775.tif 000015
【図１５】
0005452775.tif 000016
【図１６】
0005452775.tif 000017